(57)【要約】      （修正有）【課題】底板の上方における上下方向および前後方向の収納空間を確保しつつ、不用な棚板を収納家具内に適切に保管できるようにする。【解決手段】収納家具は、建物の壁面Ｗに取り付けられる背板と、側板４０Ｒ，４０Ｌ，４０Ｃと、底板５０Ｒ，５０Ｌと、天板６０Ｒ，６０Ｌと、各側板４０Ｒ，４０Ｌ，４０Ｃの各々に取り外し可能に架設された複数の可動棚板７１Ｒ，７１Ｌとを有し、前側が開口された矩形箱状の家具本体を備える収納家具である。家具本体は、背板を支持し、底板５０Ｒ，５０Ｌの上方に設けられかつ建物の壁面Ｗに左右方向に延びるように裏面で取り付けられる板材からなる支持体１０Ｒ，１０Ｌを備えている。支持体１０Ｒ，１０Ｌの上面には、各側板４０Ｒ，４０Ｌ，４０Ｃから取り外された不用な可動棚板７１Ｒ，７１Ｌを縦置き状態で載置可能な前後幅を有する不用棚板載置部１６が設けられている。【選択図】図５
2016202747.tif 000002
【特許請求の範囲】
【請求項１】
建物の壁面に取り付けられる背板と、複数の側板と、底板と、天板と、該複数の側板に取り外し可能に架設された複数の可動棚板とを有し、前側が開口された矩形箱状の家具本体を備える収納家具であって、
前記背板の前側には、左右方向に延びかつ前記複数の側板から取り外された不用な前記可動棚板を縦置き状態で載置可能な前後幅を有する不用棚板載置部が設けられている、収納家具。
【請求項２】
請求項１に記載の収納家具において、
前記家具本体には、前記不用棚板載置部の上方に、前記不用棚板載置部に載置された不用な前記可動棚板が前方に傾倒しないようにするための傾倒防止手段が設けられている、収納家具。
【請求項３】
請求項２記載の収納家具において、
前記傾倒防止手段は、前記不用棚板載置部の上方に水平方向に架設される前記可動棚板からなる、収納家具。
【請求項４】
請求項２に記載の収納家具において、
前記複数の側板の内側面には、前記可動棚板を架設するための複数のダボおよび該ダボを挿入するための複数のダボ穴が設けられており、
前記傾倒防止手段は、前記不用棚板載置部の上方にあって、前記可動棚板が架設されていない位置の前記ダボ穴に挿入されている前記ダボからなる、収納家具。
【請求項５】
請求項２に記載の収納家具において、
前記複数の側板の内側面には、前記不用棚板載置部の上方であって、該不用棚板載置部に縦置きされた不用な前記可動棚板を前記背板との間で挟み込む位置に脱落防止用ダボ穴が設けられており、
前記傾倒防止手段は、前記脱落防止用ダボ穴に挿入されている脱落防止用ダボからなる、収納家具。
【請求項６】
請求項１〜５のいずれか１項に記載の収納家具において、
前記家具本体は、前記背板および前記複数の側板を支持し、前記底板の上方に設けられかつ前記建物の壁面に左右方向に延びるように裏面で取り付けられる板材からなる支持体を備え、
前記不用棚板載置部は前記支持体に設けられている、収納家具。
【請求項７】
請求項１〜６のいずれか１項に記載の収納家具において、
前記不用棚板載置部に縦置きされている不用な前記可動棚板の下部が前方にずれないように規制するための規制部が設けられている、収納家具。
【請求項８】
請求項２〜７のいずれか１項に記載の収納家具において、
前記不用棚板載置部は、該不用棚板載置部に縦置きされている不用な前記可動棚板の上に少なくとも１枚の不用な前記可動棚板を縦置き状態に積み重ね可能とされており、
前記積み重ねられた不用な可動棚板を縦置き状態に保持するための保持手段が設けられている、収納家具。
【発明の詳細な説明】
【技術分野】
【０００１】
本発明は、玄関などに設けられる収納家具に関する。
【背景技術】
【０００２】
従来、収納家具として、特許文献１には、左右の側板、天板、底板及び背板を有する前側が開口された矩形箱状の家具本体と、該家具本体内部に取り外し可能に架設された複数の可動棚板と、を備えた玄関収納家具が開示されている。
【先行技術文献】
【特許文献】
【０００３】
【特許文献１】特開２０１３−１７６６３号公報
【発明の概要】
【発明が解決しようとする課題】
【０００４】
ところで、玄関収納家具では、上下方向の収納スペースをより広く確保して背の高いブーツ等を収納する目的で、家具本体内部に架設された可動棚板を適宜取り外し、上下方向に広げられた収納スペースにブーツ等の背の高い靴を収納するという使用方法が一般的に行われている。このように取り外した後における不用な可動棚板の保管について、例えば、収納家具の底板の上に不用な可動棚板を平置きしておく保管方法、あるいは収納家具の外で不用な可動棚板を別途保管する方法などが採用される。
【０００５】
しかしながら、上記の保管方法では以下のような問題があり、好ましい方法とはいえない。すなわち、底板の上に不用な可動棚板を平置きする保管方法では、底板の上に置かれた不用な可動棚板の厚みが上下方向に積み重なって、底板の上方における上下方向の収納空間が必然的に狭められてしまい、その結果、収納家具内にブーツ等の背の高い靴や大きいサイズの靴などが置きにくくなる。
【０００６】
また、収納家具の外で不用な可動棚板を保管する方法では、収納できる場所を別途探さなければならず、さらに不用な可動棚板そのものを紛失してしまうおそれもある。
【０００７】
これらを解決するために、収納家具内における底板の一番奥に不用な可動棚板を立てておくこともできるが、この場合には、立てた可動棚板が倒れてくるおそれがあるだけではなく、可動棚板を立てた部分に収納用の可動棚板を設置できないという問題がある。また、底板上に例えば背の高いブーツを収納した場合、底板の上方における収納空間の奥行きが一番奥に立てた可動棚板の分だけ狭くなり、例えば靴を斜めに置くなどの対応が必要になり、収納スペースを大きく必要とするブーツ等の収容量が減ることになってしまう。
【０００８】
本発明の目的は、収納家具内の構造に工夫を加えることで、収納家具内に不用な可動棚板を収納するための設置場所を設けて、適切に保管しておくことができるようにすることにある。
【課題を解決するための手段】
【０００９】
上記の目的を達成するために、本発明は、縦置き状態で不用な可動棚板を載置可能な不用棚板載置部を家具本体内に設けることにより、底板の上方における上下方向および前後方向の収納空間を確保しつつ、不用な可動棚板を収納家具内に適切に保管しておくことができるようにした。
【００１０】
具体的には、本発明の第１の形態による収納家具は、建物の壁面に取り付けられる背板と、複数の側板と、底板と、天板と、前記複数の側板に取り外し可能に架設された複数の可動棚板とを有し、前側が開口された矩形箱状の家具本体を備える収納家具であって、背板の前側には、左右方向に延びかつ複数の側板から取り外された不用な可動棚板を縦置き状態で載置可能な前後幅を有する不用棚板載置部が設けられていることを特徴とする。
【００１１】
この第１の形態によれば、収納家具内における不用棚板載置部に不用な可動棚板が縦置きされることにより、底板の上方における上下方向および前後方向の収納空間を確保しつつ、不用な可動棚板を収納家具内に適切に保管しておくことができる。
【００１２】
第２の形態は、第１の形態において、家具本体には、不用棚板載置部の上方に、不用棚板載置部に載置された不用な可動棚板が前方に傾倒しないようにするための傾倒防止手段が設けられていることを特徴とする。
【００１３】
この第２の形態によれば、傾倒防止手段により、不用な可動棚板を前方に傾倒しないようにして、不用な可動棚板の縦置き状態を安定して維持しておくことができる。
【００１４】
第３の形態は、第２の形態において、傾倒防止手段は、不用棚板載置部の上方に水平方向に架設される可動棚板からなることを特徴とする。
【００１５】
この第３の形態によれば、不用棚板載置部に縦置きされている不用な可動棚板が各側板に架設されている可動棚板の後端部につかえた状態となるため、簡易な構成により、不用棚板載置部に縦置きされている不用な可動棚板が前方に傾倒しないようにすることができる。
【００１６】
第４の形態は、第２の形態において、複数の側板の内側面には、可動棚板を架設するための複数のダボおよび該ダボを挿入するための複数のダボ穴が設けられており、傾倒防止手段は、不用棚板載置部の上方にあって、可動棚板が架設されていない位置のダボ穴に挿入されているダボからなることを特徴とする。
【００１７】
この第４の形態によれば、不用棚板載置部に縦置きされている不用な可動棚板は、不用棚板載置部の上方であって可動棚板が架設されていない位置のダボ穴に挿入されているダボにつかえた状態となるため、簡易な構成により、不用棚板載置部に縦置きされている不用な可動棚板が前方に傾倒しないようにすることができる。
【００１８】
第５の形態は、第２の形態において、複数の側板の内側面には、不用棚板載置部の上方であって、該不用棚板載置部に縦置きされた不用な可動棚板を背板との間で挟み込む位置に脱落防止用ダボ穴が設けられており、傾倒防止手段は、脱落防止用ダボ穴に挿入されている脱落防止用ダボからなることを特徴とする。
【００１９】
この第５の形態によれば、不用棚板載置部に縦置きされている不用な可動棚板が脱落防止用ダボの頭部に挟み込まれることにより、不用な可動棚板が前方に傾倒しないようにすることができる。
【００２０】
第６の形態は、第１〜第５の形態のいずれかにおいて、家具本体は、背板および複数の側板を支持し、底板の上方に設けられかつ建物の壁面に左右方向に延びるように裏面で取り付けられる板材からなる支持体を備え、不用棚板載置部は支持体に設けられていることを特徴とする。
【００２１】
この第６の形態によれば、背板および複数の側板を含めた家具本体を支持する支持体を兼用し、この支持体の不用棚板載置部に不用な可動棚板を縦置き状態で安定的に収納しておくことができる。
【００２２】
第７の形態は、第１〜第６の形態のいずれかにおいて、不用棚板載置部に縦置きされている不用な可動棚板の下部が前方にずれないように規制するための規制部が設けられていることを特徴とする。
【００２３】
この第７の形態によれば、不用棚板載置部に縦置きされている不用な可動棚板が規制部により前方にずれないようになり、不用な可動棚板の縦置き状態を維持しておくことができる。
【００２４】
第８の形態は、第２〜第７の形態のいずれかにおいて、不用棚板載置部は、該不用棚板載置部に縦置きされている不用な可動棚板の上に少なくとも１枚の不用な可動棚板を縦置き状態に積み重ね可能とされており、積み重ねられた不用な可動棚板を縦置き状態に保持するための保持手段が設けられていることを特徴とする。
【００２５】
この第８の形態によれば、不用棚板載置部に複数の不用な可動棚板を積み重ねて収納できるとともに、保持手段により積み重ねられた不用な可動棚板を縦置き状態に保持しておくことができる。
【発明の効果】
【００２６】
本発明による収納家具によると、底板の上方における上下方向および前後方向の収納空間を確保しつつ、不用な可動棚板を収納家具内に適切に保管しておくことができる。
【図面の簡単な説明】
【００２７】
【図１】図１は、本発明の実施形態に係る収納家具を示す斜視図である。
【図２】図２は、扉を取り外した状態の収納家具を示す斜視図である。
【図３】図３は、背板の取付状態を示す斜視図である。
【図４】図４は、支持体に中央背板を取り付ける際の側面図である。
【図５】図５は、家具本体の分解斜視図である。
【図６】図６は、図５のVI−VI線縦断面図である。
【図７】図７は、左側板の背面を示す部分斜視図である。
【図８】図８は、中央側板の背面を示す図７相当図である。
【図９】図９は、左側板と補助支持体との取付状態を内側から見て示す斜視図である。
【図１０】図１０は、Ｌ型金具の取付状態を示す図９相当図である。
【図１１】図１１は、カバーの取付状態を示す図１０相当図である。
【図１２】図１２は、底板と締結金具との取付状態を示す斜視図である。
【図１３】図１３は、左側板と底板との取付状態を示す斜視図である。
【図１４】図１４は、天板と締結金具との取付状態を示す図１２相当図である。
【図１５】図１５は、左側板と天板との取付状態を示す斜視図である。
【図１６】図１６は、左側板と固定棚板との取付状態を示す斜視図である。
【図１７】図１７は、化粧板を固定棚板の上に載せている状態を示す斜視図である。
【図１８】図１８は、不用な可動棚板を収納する第１の収納構造を示す縦断面図である。
【図１９】図１９は、第２の収納構造を示す図１８相当図である。
【図２０】図２０は、第３の収納構造を示す図１８相当図である。
【図２１】図２１は、第４の収納構造を示す図１８相当図である。
【発明を実施するための形態】
【００２８】
以下、本発明の実施形態を図面に基づいて詳細に説明する。以下の実施形態の説明は、本質的に例示に過ぎず、本発明、その適用物あるいはその用途を制限することを意図するものではない。
【００２９】
［収納家具の構造］
図１〜図２１は、本発明の実施形態に係る収納家具１を示す。この収納家具１は、建物の壁面Ｗに吊り下げられる形式のものであり、主に玄関に設置され、例えば靴を収納するために用いられる。
【００３０】
図１に示すように、収納家具１は、その前側が開口された矩形箱状の家具本体２を備えている。図２〜図６に示すように、家具本体２は、後述する背板３０および各側板４０Ｒ，４０Ｌ，４０Ｃの各々を支持し、建物の壁面Ｗに左右方向に延びるように裏面で取り付けられる支持体１０Ｒ，１０Ｌを備えている。この支持体１０Ｒ，１０Ｌの各々は、例えば木製の板材からなり、支持体１０Ｒの左右方向長さが支持体１０Ｌの左右方向長さよりも長く形成されている。
【００３１】
図３に示すように、支持体１０Ｒ，１０Ｌの各々は、直線上に左右に並らんだ状態で壁面Ｗに取り付けられている。また、支持体１０Ｒ，１０Ｌは、図４および図６に示すように、上下方向中央を基準位置Ｙに合わせて取り付けられている。この基準位置Ｙは、家具本体２を壁面Ｗに吊り下げるための基準となる高さ位置に設定され、例えば、玄関の土間Ｆから所定の高さＨの位置に定められる。
【００３２】
図４および図６に示すように、この支持体１０Ｒ，１０Ｌの裏面には、上端角部および下端角部のそれぞれに断面矩形状に切り欠かれて左右方向に延びる上側段差部１１および下側段差部１２がそれぞれ設けられている。ここで、上側段差部１１および下側段差部１２の各々は、後述する背板３０の厚みと略同じ寸法だけ厚み方向に切り欠かれているのが好ましい。
【００３３】
図６に示すように、右側の支持体１０Ｒの左右方向における中央部および両端部には、支持体１０Ｒを壁面Ｗに取り付けるねじ９２を挿通させるための貫通孔１３，１３，１３がそれぞれ設けられている。また、支持体１０Ｒの両端部において、上記貫通孔１３から支持体１０Ｒの左右方向外側に所定の間隔をあけた位置に、ダボＰを取り付けるためのダボ取付穴１４，１４がそれぞれ設けられている。このダボ取付穴１４，１４に取り付けられるダボＰは、後述する右側板４０Ｒおよび中央側板４０Ｃのそれぞれを取り付けるためのものであり、図５に示すように、支持体１０Ｒが壁面Ｗに取り付けられた後にダボ取付穴１４，１４にダボＰが取り付けられた状態となっている。さらに、支持体１０Ｒの両端部において、上記貫通孔１３から支持体１０Ｒの左右方向内側に所定の間隔をあけた位置に、後述するＬ型金具９４を取り付けるための３つの取付穴１５，１５，…がそれぞれ設けられている。これらの取付穴１５，１５，…は、縦方向に等間隔で一列に並んで形成されている。なお、左側の支持体１０Ｌも右側の支持体１０Ｒと同様の構成であるため、詳細な説明は省略する。
【００３４】
図３〜図６に示すように、家具本体２は、支持体１０Ｒ，１０Ｌの上方に設けられかつ建物の壁面Ｗに左右方向に延びるように裏面で取り付けられる板材からなる補助支持体２０Ｒ，２０Ｌを備えている。この補助支持体２０Ｒ，２０Ｌの裏面には、支持体１０Ｒ，１０Ｌと同様に、上側段差部２１および下側段差部２２がそれぞれ設けられている。また、補助支持体２０Ｒ，２０Ｌの各々は、貫通孔２３，２３，…と、ダボ取付穴２４，２４と、取付穴２５，２５，…とを有している。なお、本実施形態において、補助支持体２０Ｒ，２０Ｌの各々は支持体１０Ｒ，１０Ｌの各々と同じ部材が用いられているため、補助支持体２０Ｒ，２０Ｌの構成に関する詳細な説明は省略する。
【００３５】
また、図２〜図６に示すように、家具本体２は、建物の壁面Ｗに取り付けられる左右の背板３０Ｒ，３０Ｌを有している。背板３０Ｒ，３０Ｌの各々は、例えば木製の矩形状薄板材からなり、左右に並んで壁面Ｗに取り付けられている。この右側の背板３０Ｒの左右方向長さは、支持体１０Ｒの左右方向長さと同じ長さに、また左側の背板３０Ｌの左右方向長さは、支持体１０Ｌの左右方向長さと同じ長さにそれぞれ形成されている。
【００３６】
図３および図５に示すように、この背板３０は、支持体１０Ｒ，１０Ｌの上側に設けられる中央背板３１Ｒ，３１Ｌ（第１の背板）と、この中央背板３１Ｒ，３１Ｌの下方でかつ支持体１０Ｒ，１０Ｌの上側に設けられる下側背板３２Ｒ，３２Ｌ（第２の背板）と、上記中央背板３１Ｒ，３１Ｌの上方でかつ補助支持体２０Ｒ，２０Ｌの上側に設けられる上側背板３３Ｒ，３３Ｌ（第３の背板）と、を含んでいる。ここで、下側背板３２Ｒ，３２Ｌおよび上側背板３３Ｒ，３３Ｌの各々は、上下方向長さが同じ長さに形成されており、かつ中央背板３１Ｒ，３１Ｌの上下方向長さよりも短く形成されている。
【００３７】
図３および図４に示すように、下側背板３２Ｒ，３２Ｌの上端部が接着剤などにより支持体１０Ｒ，１０Ｌの下側段差部１２，１２に連結された状態で、支持体１０Ｒ，１０Ｌおよび下側背板３２Ｒ，３２Ｌが壁面Ｗに取り付けられている。ここで、図３に示すように、下側背板３２Ｒ，３２Ｌの裏面には、建物の壁面Ｗに取り付けるための両面テープ９１（粘着部）が設けられており、この両面テープ９１により下側背板３２Ｒ，３２Ｌが壁面Ｗに取り付けられている一方、図６に示すように、貫通孔１３，１３，…に挿通されるねじ９２により支持体１０Ｒ，１０Ｌが壁面Ｗに固定されている。すなわち、図６に示すように、支持体１０Ｒ，１０Ｌが壁面Ｗに取り付けられている状態で、建物の壁面Ｗと支持体１０Ｒ，１０Ｌの下側段差部１２との間に左右方向に延びる間隙Ｂが形成され、この間隙Ｂに下側背板３２Ｒ，３２Ｌの上端部が差し込まれている状態となっている。
【００３８】
また、図４に示すように、支持体１０Ｒ，１０Ｌが壁面Ｗに取り付けられている状態では、壁面Ｗと支持体１０Ｒ，１０Ｌの上側段差部１１，１１との間に、左右方向に延びる間隙Ａが形成されており、中央背板３１Ｒ，３１Ｌの上端部が補助支持体２０Ｒ，２０Ｌの下側段差部２２，２２に連結されている状態で、この間隙Ａに中央背板３１Ｒ，３１Ｌの下端部が差し込まれているとともに、補助支持体２０Ｒ，２０Ｌおよび中央背板３１Ｒ，３１Ｌが壁面Ｗに取り付けられている。
【００３９】
ここで、図３に示すように、中央背板３１Ｒ，３１Ｌの裏面にも両面テープ９１が設けられており、この両面テープ９１により中央背板３１Ｒ，３１Ｌが壁面Ｗに取り付けられている一方、図６に示すように、貫通孔２３，２３，…に挿通されるねじ９２により補助支持体２０Ｒ，２０Ｌが壁面Ｗに固定されている。すなわち、図６に示すように、補助支持体２０Ｒ，２０Ｌが壁面Ｗに取り付けられている状態で、建物の壁面Ｗと補助支持体２０Ｒ，２０Ｌの下側段差部２２との間に左右方向に延びる間隙Ｄが形成され、この間隙Ｄに中央背板３１Ｒ，３１Ｌの上端部が差し込まれている状態となっている。
【００４０】
さらに、図６に示すように、補助支持体２０Ｒ，２０Ｌが壁面Ｗに取り付けられている状態で、壁面Ｗと補助支持体２０Ｒ，２０Ｌの上側段差部２１，２１との間には左右方向に延びる間隙Ｃが形成されている。この間隙Ｃに上側背板３３Ｒ，２０Ｌの下端部が差し込まれているとともに、上側背板３３Ｒ，２０Ｌの裏面に設けられた両面テープ９１により、上側背板３３Ｒ，２０Ｌが壁面Ｗに取り付けられている。
【００４１】
図２に示すように、家具本体２は左右の側板４０Ｒ，４０Ｌを備えている。左右の側板４０Ｒ，４０Ｌは、例えば木製の矩形状板材からなり、家具本体２の奥行き方向よりも高さ方向に長く形成されかつ背板３０の高さ寸法と同じ高さに形成されている。図５に示すように、左側板４０Ｌの内側面（後述する中央側板４０Ｃに対向する面）における四隅には、後述する底板５０Ｌおよび天板６０Ｌを取り付けるためのダボＰがそれぞれ設けられている。右側板４０Ｒの内側面における四隅にも、同様にダボＰがそれぞれ設けられている。
【００４２】
以下、左側板４０Ｌについて説明する。図５および図７に示すように、左側板４０Ｌの後端部には、左側板４０Ｌの内側面の角部を外側面近くまで厚さ方向に部分的に凹陥状に切り欠いた矩形状の上側嵌合部４１ａおよび下側嵌合部４１ｂが設けられている。すなわち、上側嵌合部４１ａおよび下側嵌合部４１ｂの各々は、左側板４０Ｌの内側面から見た状態において、略コ字状に切り欠かれた形状を有する。なお、図７に示すように、左側板４０Ｌの後端部には、背板３０の端部を嵌め込むための背板嵌合部４７が設けられている。この背板嵌合部４７は、上側嵌合部４１ａおよび下側嵌合部４１ｂ以外の領域において、左側板４０Ｌの内側面の角部を外側面近くまで厚さ方向に部分的に切り欠かれた形状になっている。
【００４３】
左側板４０Ｌが支持体１０Ｌおよび補助支持体２０Ｌに取り付けられた状態で、上側嵌合部４１ａは、補助支持体２０Ｌに対向する高さ位置に形成されかつ補助支持体２０Ｌに嵌め込むことができるような上下幅に形成されている一方、下側嵌合部４１ｂは、支持体１０Ｌに対向する高さ位置に形成されかつ支持体１０Ｌに嵌め込むことができるような上下幅に形成されている。
【００４４】
また、図７に示すように、上側嵌合部４１ａおよび下側嵌合部４１ｂの各々の垂直端面における上下方向中央には、補助支持体２０Ｌのダボ取付穴２４に取り付けられているダボＰの頭部を挿入するための挿入穴４２が左側板４０Ｌの前後方向に沿って設けられている。
【００４５】
また、図５および図７に示すように、左側板４０Ｌの内側面における上側および下側には、内側面から厚さ方向に向かって、後述する締結金具９３を埋め込むための有底状の埋込穴４３がそれぞれ設けられている。埋込穴４３の各々は、上側嵌合部４１ａおよび下側嵌合部４１ｂのそれぞれに設けられる挿入穴４２の方向に直交しかつ左側板４０Ｌの内部で挿入穴４２に連通している。なお、埋込穴４３の各々には、家具本体２を組み立てる前から予め締結金具９３が圧入されている（図９参照）。
【００４６】
締結金具９３は、一般的なノックダウン金具からなる。図９に示すように、左側板４０Ｌの上側嵌合部４１ａが補助支持体２０Ｌに嵌め合わされかつ補助支持体２０Ｌのダボ取付穴２４に取り付けられたダボＰ（図５参照）が左側板４０Ｌの挿入穴４２に挿入された状態で、締結金具９３の操作穴９３ａに差し込まれたドライバー（図示せず）により、締結金具９３のロック部（図示せず）が時計回りに所定の角度だけ回転し、上記ダボＰが締結部材９３に固定されて、左側板４０Ｌが補助支持体２０Ｌに固定された状態となっている。また、左側板４０Ｌの下側嵌合部４１ｂについても、同様の形式により、支持体１０Ｌに左側板４０Ｌが固定されている。
【００４７】
図５および図９に示すように、左側板４０Ｌの内側面における上側および下側には、Ｌ型金具９４を取り付けるための３つの取付穴４４，４４，…がそれぞれ設けられている。また、図１０に示すように、Ｌ型金具９４は、上記取付穴４４，４４，…に対応する位置および支持体１０Ｌの取付穴１５，１５，…に対応する位置のそれぞれに貫通孔９４ａ，９４ａ，…が形成されている。
【００４８】
左側板４０Ｌが支持体１０Ｌおよび補助支持体２０Ｌに固定された状態で、図９および図１０に示すように、Ｌ型金具９４の上記貫通孔９４ａの各々を補助支持体２０Ｌの取付穴１５，１５，…および左側板４０Ｌの取付穴４４，４４，…のそれぞれの位置に合わせてＬ型金具９４がねじ止めされ、図１１に示すように、そのＬ型金具９４に樹脂製のカバー９５が嵌め合わされている。これにより、補助支持体２０Ｌおよび左側板４０Ｌに設けられている各々の穴が隠された状態となっている。支持体２０Ｌおよび左側板４０Ｌにも、同様にＬ型金具９４およびカバー９５が設けられている。
【００４９】
また、図５に示すように、左側板４０Ｌの内側面には、後述する固定棚板７０Ｒ，７０Ｌを取り付けるための複数のダボ穴４６，４６，…が上下方向に設けられている。また、左側板４０Ｌにおける内側面の前側には、後述する片開き扉８１を開閉させるための蝶番９７，９７，…が設けられている。
【００５０】
以上、左側板４０Ｌの主な構成について説明したが、右側板４０Ｒについても、左側板４０Ｌの面対称となる位置に、上側嵌合部４１ａ、下側嵌合部４１ｂ、挿入穴４２、埋込穴４３，および取付穴４４が設けられており、左側板４０Ｌと同様の態様で、支持体１０Ｒの右端部および補助支持体２０Ｒの右端部のそれぞれに右側板４０Ｒが取り付けられている。また、後述する中央側板４０Ｃの側面に対向する右側板４０Ｒの内側面には、中央側板４０Ｃの内側面と面対称となる位置に複数のダボ穴４６，４６，…および蝶番９７，９７，…が設けられている。
【００５１】
次に、図２に示すように、右側板４０Ｒと左側板４０Ｌとの間に設けられかつ支持体１０Ｒと支持体１０Ｌとの境界（補助支持体２０Ｒと補助支持体２０Ｌとの境界）となる位置に中央側板４０Ｃが設けられている。この中央側板４０Ｃにおける両側面の各々の四隅には、後述する底板５０Ｌおよび天板６０Ｌを取り付けるためのダボＰがそれぞれ設けられている。
【００５２】
図５および図８に示すように、中央側板４０Ｃの後端部には、矩形の凹陥状に切り欠かれた上側嵌合部４５ａおよび下側嵌合部４５ｂが設けられている。すなわち、上側嵌合部４５ａおよび下側嵌合部４５ｂの各々は、側面から見た状態において、略コ字状に切り欠かれた形状を有する。
【００５３】
中央側板４０Ｃが支持体１０Ｒ，１０Ｌおよび補助支持体２０Ｒ，２０Ｌに取り付けられた状態で、上側嵌合部４５ａは、補助支持体２０Ｒ，２０Ｌに対向する高さ位置に形成されかつ補助支持体２０Ｒ，２０Ｌに嵌め込むことができるような上下幅に形成されている一方、下側嵌合部４５ｂは、支持体１０Ｒ，１０Ｌに対向する高さ位置に形成されかつ支持体１０Ｒ，１０Ｌに嵌め込むことができるような上下幅に形成されている。
【００５４】
また、図８に示すように、上側嵌合部４５ａの垂直端面における上下方向中央には、補助支持体２０Ｒ，２０Ｌのダボ取付穴２４の各々に取り付けられているダボＰの頭部を挿入するための挿入穴４２，４２が水平方向に並んで設けられている。
【００５５】
また、図８に示すように、中央側板４０Ｃにおける両側面の各々の上側および下側には、埋込穴４３と、取付穴４４，４４，…がそれぞれ設けられている。なお、埋込穴４３および取付穴４４，４４，…は、上述した左側板４０Ｌと同様であるため、詳細な説明は省略する。
【００５６】
中央側板４０Ｃは、上側嵌合部４５ａおよび下側嵌合部４５ｂの各々が支持体１０Ｒ，１０Ｌおよび補助支持体２０Ｒ，２０Ｌのそれぞれに嵌め合わされかつ２本のダボＰの頭部が挿入穴４２，４２に挿入された状態で、上述した左側板４０Ｌと同様の態様で、支持体１０Ｒ，１０Ｌおよび補助支持体２０Ｒ，２０Ｌに取り付けられている。また、左側板４０Ｌと同様に、Ｌ型金具９４およびカバー９５が取り付けられている。
【００５７】
また、図５に示すように、右側板４０Ｒの内側面に対向する中央側板４０Ｃの側面には、後述する固定棚板７０Ｒ，７０Ｌを取り付けるための複数のダボ穴４６，４６，…が上下方向に所定の間隔で一列に並んで前側および後側のそれぞれに設けられている。また、両開き扉８２，８２の各々を開閉させるための蝶番９７，９７，…が設けられている。図示しないが、左側板４０Ｌの内側面に対向する中央側板４０Ｃの側面には、左側板４０Ｌの内側面と面対称となる位置に複数のダボ穴４６，４６，…および蝶番９７，９７，…が設けられている。
【００５８】
図２〜図６に示すように、家具本体２は、左右の側板４０Ｒ，４０Ｌの各々と中央側板４０Ｃとの間に設けられる底板５０Ｒ，５０Ｌを備えている。この底板５０Ｒ，５０Ｌの各々は、例えば木製の板材からなり、底板５０Ｒの左右方向長さが底板５０Ｌの左右方向長さよりも長く形成されている。
【００５９】
以下、左側の底板５０Ｌについて説明する。図５および図１２に示すように、底板５０Ｌの下面における四隅の各々には、後述する締結金具９６を埋め込むための埋込孔５１がそれぞれ設けられている。埋込孔５１は、その下面から厚さ方向に向かって貫通し、左右方向の端部が一部切り欠かれている。なお、埋込孔５１の各々には、家具本体２を組み立てる前から予め締結金具９６が圧入されている。
【００６０】
図１２に示すように、締結金具９６は、一般的なノックダウン金具からなり、カップ状に成形されたもので、その外周面には貫通長溝９６ｂが形成されている。ここで、底板５０Ｌが左側板４０Ｌと中央側板Ｃとの間に配置され、左側板４０Ｌおよび中央側板４０Ｃに取り付けられたダボＰの各々の頭部に締結金具９６の貫通長溝９６ｂのそれぞれが嵌まり込んでいる。この状態で、図１３に示すように、底板５０Ｌの埋込孔５１から締結金具９６の操作穴９６ａにドライバーが差し込まれ、締結金具９６のロック部（図示せず）が時計回りに所定の角度だけ回転される。これにより、上記ダボＰの頭部が締結金具９６に固定され、底板５０Ｌが左側板４０Ｌに固定された状態となっている。同様の形式により、中央側板Ｃにも底板５０Ｌが固定されている。
【００６１】
以上、左側の底板５０Ｌの主な構成について説明したが、右側の底板５０Ｒについても、底板５０Ｌと同様に、右側板４０Ｒおよび中央側板Ｃのそれぞれに取り付けられている。
【００６２】
図２および図５に示すように、家具本体２は、木製の板材からなり、左右の側板４０Ｒ，４０Ｌの各々と中央側板４０Ｃとの間に設けられる天板６０Ｒ，６０Ｌを備えている。
【００６３】
以下、左側の天板６０Ｌについて説明する。図５および図１４に示すように、天板６０Ｌの下面における四隅の各々には、締結金具９６を埋め込むための埋込穴６１がそれぞれ設けられている。埋込穴６１は、その下面から厚さ方向に向かって形成され、左右方向の端部が一部切り欠かれている。なお、埋込穴６１の各々には、家具本体２を組み立てる前から予め締結金具９６が圧入されている。
【００６４】
天板６０Ｌは左側板４０Ｌと中央側板Ｃとの間に配置され、左側板４０Ｌおよび中央側板４０Ｃに取り付けられたダボＰの頭部に締結金具９６の貫通長溝９６ｂのそれぞれが嵌まり込んでいる。この状態で、図１５に示すように、締結金具９６の操作穴９６ａに差し込まれたドライバーによって、上記ダボＰが締結金具９６のロック部に固定され、天板６０Ｌが左側板４０Ｌに固定された状態となっている。また、中央側板Ｃにも天板６０Ｌが固定されている。
【００６５】
以上、左側の天板６０Ｌの主な構成について説明したが、右側の天板６０Ｒについても、天板６０Ｌと同様に、右側板４０Ｒおよび中央側板Ｃのそれぞれに取り付けられている。
【００６６】
図２および図５に示すように、家具本体２は、左右の側板４０Ｒ，４０Ｌの各々と中央側板４０Ｃとの間に設けられる複数の固定棚板７０Ｒ，７０Ｌを備えている。なお、本実施形態において、固定棚板７０Ｒ，７０Ｌの各々には上記天板６０Ｒ，６０Ｌの各々と同じ部材が用いられている。
【００６７】
ここで、収納家具１の家具本体２の上下方向において、家具本体２の上下方向を必要に応じて２分割〜４分割した位置に固定棚板７０Ｒ，７０Ｌが設けられる場合がある。このように固定棚板７０Ｒ，７０Ｌを設ける場合は、当該固定棚板７０Ｒ，７０Ｌを底板５０Ｒ，５０Ｌと同様の構成とみなしてもよいものとする。すなわち、本実施形態における固定棚板７０Ｒ，７０Ｌは、各側板に取り外し可能に架設される後述の可動棚板７１とは異なり、例えば締結金具９６によって各側板と緊結される固定棚板をいう。より具体的には、固定棚板７０Ｌは、左側板４０Ｌおよび中央側板４０Ｃの内側面に設けられた複数のダボ穴４６，４６，…のいずれかにダボＰが差し込まれた状態で、左側板４０Ｌと中央側板との間に配置され、天板６０Ｌと同様の態様で、左側板４０Ｌおよび中央側板Ｃのそれぞれに取り付けられている（図１６参照）。固定棚板７０Ｒについても、同様に右側板４０Ｒおよび中央側板Ｃのそれぞれに取り付けられている。
【００６８】
また、図２および図５に示すように、家具本体２は、左右の側板４０Ｒ，４０Ｌの各々と中央側板４０Ｃとの間に架設される複数の可動棚板７１Ｒ，７１Ｌを備えている。より具体的には、可動棚板７１Ｒ，７１Ｌの各々は、各側板４０Ｒ，４０Ｌ，４０Ｃのダボ穴４６，４６，…に着脱自在に挿入されるダボＰに対して取り外し可能に架設されている。なお、各側板４０Ｒ，４０Ｌ，４０Ｃから取り外された不用な可動棚板７１Ｒ，７１Ｌの各収納構造については後述する。
【００６９】
次に、図１に示すように、収納家具１は、家具本体２の前側に配置され、開口を開閉する複数の扉８０を備えている。左側板４０Ｌと中央側板４０Ｃとの間には、片開き扉８１が設けられており、この片開き扉８１の裏面に３つの蝶番（図示せず）が上下方向に設けられ、この蝶番の各々と左側板４０Ｌに設けられている蝶番９７とが連結されている。
【００７０】
また、図１に示すように、右側板４０Ｒと中央側板４０Ｃとの間には、２つの両開き扉８２，８２が上下に分かれてそれぞれ設けられており、両開き扉８２，８２の各々の裏面に２つの蝶番（図示せず）が上下方向に設けられ、この蝶番の各々と右側板４０Ｒおよび中央側板４０Ｃの各々に設けられている蝶番９７，９７とが連結されている。さらに、下側に設けられている両開き扉８２の上方において、家具本体２の棚部分を構成する化粧板９８が固定棚板７０Ｒの上面に載せられている（図１および図１７参照）。
【００７１】
［不用な棚板の各収納構造］
本発明の特徴として、図１８〜図２１に示すように、背板３０の前側には、左右方向に延びかつ各側板４０Ｒ，４０Ｌ，４０Ｃから取り外された不用な可動棚板７１Ｒ，７１Ｌを縦置き状態で載置可能な前後幅を有する不用棚板載置部１６が設けられている。より具体的には、図２〜図６に示すように、この不用棚板載置部１６は、支持体１０Ｒ，１０Ｌの上面に形成されており、不用な可動棚板７１Ｒ，７１Ｌを縦置き状態で載置可能な前後幅を有している。このように、背板３０および各側板４０Ｒ，４０Ｌ，４０Ｃを含めた家具本体２を支持する支持体１０Ｒ，１０Ｌを兼用し、この支持体１０Ｒ，１０Ｌの不用棚板載置部１６に不用な可動棚板７１Ｒ，７１Ｌを縦置き状態で安定的に収納しておくことができる。
【００７２】
以下、図１８〜図２１に基づき、収納家具１内の収納スペースをより広く確保して背の高いブーツ等を収納する目的で、左側板４０Ｌおよび中央側板４０Ｃのそれぞれから取り外された不用な可動棚板７１Ｌの各収納構造を説明する。なお、下記第１〜第４の収納構造では、可動棚板７１Ｌについて詳細に説明するが、右側板４０Ｒおよび中央側板４０Ｃのそれぞれから取り外された不用な可動棚板７１Ｒについても、下記第１〜第４の収納構造と同様に、支持体１０Ｒの不用棚板載置部１６に縦置きすることができ、同様の作用効果を得ることができる。
【００７３】
（第１の収納構造）
第１の収納構造として、図１８に示すように、支持体１０Ｌの不用棚板載置部１６には、左側板４０Ｌおよび中央側板４０Ｃのそれぞれから取り外された不用な可動棚板７１Ｌが縦置きされている。より具体的には、可動棚板７１Ｌの前端部または後端部のいずれか一方が支持体１０Ｌの不用棚板載置部１６に載せられて、可動棚板７１Ｌが略垂直となるように縦置きされている。なお、第１の収納構造において、左側板４０Ｌおよび中央側板４０Ｃに架設されている可動棚板７１Ｌは、支持体１０Ｌの不用棚板載置部１６に縦置きされている不用な可動棚板７１Ｌよりも上方に設けられている。
【００７４】
この第１の収納構造では、底板５０Ｌの上方に設けられかつ建物の壁面Ｗに取り付けられる支持体１０Ｌの不用棚板載置部１６に不用な可動棚板７１Ｌが縦置きされているため、不用な可動棚板７１Ｌの有無にかかわらず、底板５０Ｌの上方における上下方向および前後方向の収納スペースが確保された状態となっている。このため、第１の収納構造では、底板５０Ｌの上方における上下方向および前後方向の収納空間が狭められることなく、ブーツなどの背の高い靴や大きいサイズの靴などを置くことができる。また、第１の収納構造では、収納家具１内に不用な可動棚板７１Ｌを保管する適切な場所が確保されているため、不用な可動棚板７１Ｌを別途保管する場所を探す必要もなく、不用な可動棚板７１Ｌを紛失するおそれもない。
【００７５】
このように、第１の収納構造によれば、背板３０（中央背板３１Ｌ）の前側に設けられる不用棚板載置部１６に不用な可動棚板７１Ｌが縦置きされることにより、底板５０Ｌの上方における上下方向および前後方向の収納空間を確保しつつ、不用な可動棚板７１Ｌを収納家具１内に適切に保管しておくことができる。
【００７６】
（第２の収納構造）
次に、図１９に示すように、第２の収納構造において、家具本体２には、不用棚板載置部１６の上方に、この不用棚板載置部１６に載置された不用な可動棚板７１Ｌが前方に傾倒しないようにするための傾倒防止手段が設けられている。第２の収納構造における傾倒防止手段は、不用棚板載置部１６の上方に水平方向に架設される可動棚板７１Ｌからなる。より具体的には、左側板４０Ｌおよび中央側板４０Ｃのそれぞれに架設されている可動棚板７１Ｌの後端部は、不用棚板載置部１６に縦置きされている不用な可動棚板７１Ｌに対向している。
【００７７】
このように、第２の収納構造では、上記第１の収納構造と同様の作用効果が得られるとともに、不用棚板載置部１６に縦置きされている不用な可動棚板７１Ｌが左側板４０Ｌおよび中央側板４０Ｃのそれぞれに架設されている可動棚板７１Ｌの後端部につかえた状態となる。このため、簡易な構成により、不用棚板載置部１６に縦置きされている不用な可動棚板７１Ｌが前方に傾倒しないようにすることができる。
【００７８】
（第３の収納構造）
次に、図２０に示すように、第３の収納構造においても、傾倒防止手段が設けられている。第３の収納構造における傾倒防止手段は、不用棚板載置部１６の上方であって、可動棚板７１Ｌが架設されていない位置の左側板４０Ｒのダボ穴４６および中央側板４０Ｃのダボ穴４６のそれぞれに挿入されているダボＰからなる。より具体的には、これらダボＰの頭部が不用棚板載置部１６に縦置きされている不用な可動棚板７１Ｌに対向している。なお、傾倒防止手段として用いられる上記ダボＰは、側板４０Ｌ，４０Ｃの各々から可動棚板７１Ｌを取り外したときに余ったものを再利用すればよい。また、左側板４０Ｌおよび中央側板４０Ｃの各々に２本のダボＰをそれぞれ設けたが、ダボＰの本数は特に限定されない。
【００７９】
このように、第３の収納構造では、上記第１の収納構造と同様の作用効果が得られるとともに、不用棚板載置部１６に縦置きされている不用な可動棚板７１Ｌが不用棚板載置部１６の上方であって可動棚板７１Ｌが架設されていない位置のダボ穴４６に挿入されているダボＰの頭部につかえた状態となる。このため、簡易な構成により、不用棚板載置部１６に縦置きされている不用な可動棚板７１Ｌが前方に傾倒しないようにすることができる。
【００８０】
（第４の収納構造）
次に、図２１に示すように、第４の収納構造においても、傾倒防止手段が設けられている。不用棚板載置部１６の上方であって、不用棚板載置部１６に縦置きされた不用な可動棚板７１Ｌを中央背板３１Ｌとの間で挟み込む位置に脱落防止用の専用のダボ穴４６が設けられており、第４の収納構造における傾倒防止手段は、この脱落防止用ダボ穴４６に挿入されている脱落防止用の専用のダボＰからなる。不用棚板載置部１６に縦置きされている不用な可動棚板７１Ｌは、これらダボＰの頭部と中央背板３１との間で挟み込まれている。
【００８１】
このように、第４の収納構造では、上記第１の収納構造と同様の作用効果が得られるとともに、不用棚板載置部１６に縦置きされている不用な可動棚板７１Ｌが脱落防止用のダボＰの頭部に挟み込まれて、不用な可動棚板７１Ｌが前方に傾倒しないようにすることができる。
【００８２】
また、第４の収納構造では、図２１に示すように、不用棚板載置部１６に縦置きされている不用な可動棚板７１Ｌの下部が前方にずれないように規制するための規制部９９が設けられている。この規制部９９は、左右方向に延びる板材からなり、その裏面が支持体１０Ｌの前面に接着剤などで取り付けられている。不用棚板載置部１６に縦置きされている不用な可動棚板７１Ｌは、中央背板３１Ｌと規制部９９との間に左右方向に延びる溝部分に差し込まれた状態となっている。
【００８３】
このため、第４の収納構造では、不用棚板載置部１６に縦置きされている不用な可動棚板７１Ｌが規制部９９により前方にずれないようになり、不用な可動棚板７１Ｌの縦置き状態を維持しておくことができる。なお、規制部９９については、第４の収納構造に限らず、上記第１〜３の収納構造のいずれにも適用することができる。
【００８４】
さらに、第４の収納構造では、不用棚板載置部１６に縦置きされている不用な可動棚板７１Ｌの上に、少なくとも１枚の不用な可動棚板７１Ｌが縦置き状態に積み重ねられており、この不用な可動棚板７１Ｌが縦置き状態に保持されるようにするための保持手段が設けられている。この保持手段は、不用棚板載置部１６に縦置きされている不用な可動棚板７１Ｌの上方に水平方向に架設される可動棚板７１Ｌからなり、この可動棚板７１Ｌの後端部が積み重ねられた不用な可動棚板７１Ｌに対向している。
【００８５】
このように、第４の収納構造では、不用棚板載置部１６上に複数の不用な可動棚板７１Ｌを積み重ねて収納できるとともに、保持手段により積み重ねられた不用な可動棚板７１Ｌを縦置き状態に維持しておくことができる。
【００８６】
なお、第４の収納構造の保持手段としては上記形態に限られない。すなわち、保持手段は、不用棚板載置部１６に縦置きされている不用な可動棚板７１Ｌの上方であって、可動棚板７１Ｌが架設されていない位置の左側板４０Ｒのダボ穴４６および中央側板４０Ｃのダボ穴４６のそれぞれに挿入されているダボＰからなる形態であってもよい。あるいは、第４の収納構造における脱落防止用ダボＰと同様の構成を用いてもよい。また、上記第４の収納構造では、脱落防止用ダボＰおよび規制部９９の両方を用いたが、この形態に限らず、いずれか一方のみを用いる形態でもよい。もしくは、脱落防止用ダボＰおよび規制部９９を用いずに、第２または第３の収納構造と同様の態様により不用な可動棚板７１Ｌの縦置き状態を維持した上で、更なる不用な可動棚板７１Ｌを縦置き状態に積み重ねてもよい。
【００８７】
［その他の実施形態］
本発明の実施形態に係る収納家具１では、主に玄関に設置され、例えば靴を収納するために用いられる形態を示したが、この形態に限られない。すなわち、収納家具１は、玄関以外における建物の室内に設置されてもよい。
【００８８】
本発明の実施形態に係る収納家具１において、家具本体２は、支持体１０Ｒ，１０Ｌおよび補助支持体２０Ｒ，２０Ｌの両方を備える形態としたが、この形態に限られない。すなわち、家具本体２として、支持体１０Ｒ，１０Ｌのみを備える形態（補助支持体２０Ｒ，２０Ｌを備えない形態）であってもよい。支持体１０Ｒ，１０Ｌのみを備える形態の場合、左右の側板４０Ｒ，４０Ｌの上側嵌合部４１ｂおよび中央側板４０Ｃの上側嵌合部４５ｂは不用となる。
【００８９】
本発明の実施形態に係る収納家具１において、背板３０は、中央背板３１Ｒ，３１Ｌ、下側背板３２Ｒ，３２Ｌ、および上側背板３３Ｒ，３３Ｌを備える形態としたが、この形態に限られない。すなわち、背板３０は、少なくとも中央背板３１Ｒ，３１Ｌだけであればよい。
【００９０】
本発明の実施形態に係る収納家具１では、左右に分かれた支持体１０Ｒ，１０Ｌを並べた形態としたが、この形態に限られない。すなわち、支持体１０Ｒ，１０Ｌ左右方向に一体に形成された支持体１０であってもよい。補助支持体２０Ｒ，２０Ｌ、中央背板３１Ｒ，３１Ｌ、下側背板３２Ｒ，３２Ｌ、および上側背板３３Ｒ，３３Ｌについても、同様である。
【００９１】
本発明の実施形態に係る収納家具１では、複数の扉８０を備える形態としたが、この形態に限らず、家具本体２のみを備える形態であってもよい。
【００９２】
以上、本発明についての実施形態を説明したが、本発明は上述の実施形態のみに限定されず、発明の範囲内で種々の変更が可能である。
【産業上の利用可能性】
【００９３】
本発明は、不用な可動棚板を適切に収納するために用いられる収納家具として産業上の利用が可能である。
【符号の説明】
【００９４】
１：収納家具
２：家具本体
１０Ｒ，１０Ｌ：支持体
１６：不用棚板載置部
２０Ｒ，２０Ｌ：補助支持体
３０：背板
４０Ｒ：左側板
４０Ｌ：右側板
４０Ｃ：中央側板
４６：ダボ穴
５０Ｒ，５０Ｌ：底板
６０Ｒ，６０Ｌ：天板
７０Ｒ，７０Ｌ：固定棚板
７１Ｒ，７１Ｌ：可動棚板
８０：扉
９９：規制部
Ｐ：ダボ
【図１】
2016202747.tif 000003
【図２】
2016202747.tif 000004
【図３】
2016202747.tif 000005
【図４】
2016202747.tif 000006
【図５】
2016202747.tif 000007
【図６】
2016202747.tif 000008
【図７】
2016202747.tif 000009
【図８】
2016202747.tif 000010
【図９】
2016202747.tif 000011
【図１０】
2016202747.tif 000012
【図１１】
2016202747.tif 000013
【図１２】
2016202747.tif 000014
【図１３】
2016202747.tif 000015
【図１４】
2016202747.tif 000016
【図１５】
2016202747.tif 000017
【図１６】
2016202747.tif 000018
【図１７】
2016202747.tif 000019
【図１８】
2016202747.tif 000020
【図１９】
2016202747.tif 000021
【図２０】
2016202747.tif 000022
【図２１】
2016202747.tif 000023